(57)【要約】      （修正有）【課題】偏波保持ファイバが、その偏波保持ファイバの偏波方向が所定の方向に容易に位置決めされて固定されることにより、偏波保持ファイバをその偏波方向を定めて固定するための工数、ひいては組み立てコストを低減することができる光学装置を提供する。【解決手段】光源から射出される光を該光の偏波方向を保持して伝搬する偏波保持ファイバ１１と、前記偏波保持ファイバが固定されるＶ溝１４ｂと、を備えている光学装置において、前記偏波保持ファイバ及び前記Ｖ溝それぞれは、相互に関係して該偏波保持ファイバの光軸を中心とする回転方向の位置決めをする位置決め手段を備えている。【選択図】図３
2009217897.tif 000002
【特許請求の範囲】
【請求項１】
光源から射出される光を該光の偏波方向を保持して伝搬する偏波保持ファイバと、
前記偏波保持ファイバが固定される溝と、を備えている光学装置において、
前記偏波保持ファイバ及び前記溝それぞれは、相互に関係して該偏波保持ファイバの光軸を中心とする回転方向の位置決めをする位置決め手段を備えていることを特徴とする光学装置。
【請求項２】
前記偏波保持ファイバが備えている位置決め手段は、該偏波保持ファイバの外周に形成された平面であり、
前記溝が備えている位置決め手段は、前記偏波保持ファイバの前記平面に接する該溝を構成する壁の平面であることを特徴とする請求項１に記載の光学装置。
【請求項３】
前記偏波保持ファイバの外周に形成された平面と、前記偏波方向と前記偏波保持ファイバの光軸とでなす平面とは所定の角度を有することを特徴とする請求項２に記載の光学装置。
【請求項４】
前記偏波保持ファイバが備えている位置決め手段は、該偏波保持ファイバの先端に形成された斜面であり、
前記溝が備えている位置決め手段は、該溝の端に設けられている、前記斜面に接する凸部であることを特徴とする請求項１に記載の光学装置。
【請求項５】
前記斜面の傾斜方向と前記偏波保持ファイバの光軸とでなす面と、前記偏波方向と前記偏波保持ファイバの光軸とでなす平面とは所定の角度を有していることを特徴とする請求項４に記載の光学装置。
【請求項６】
前記溝は、断面形状がＶ字であることを特徴とする請求項１乃至５の何れか一項に記載の光学装置。
【請求項７】
請求項１乃至６の何れか一項に記載の光学装置と、
前記光学装置が備えている前記偏波保持ファイバから射出される光を導波して記録媒体に向かって射出する光導波路を備えたスライダと、を備えていることを特徴とする光ヘッド。
【請求項８】
前記光導波路の光射出面に近接場光発生微細構造が備えられていることを特徴とする請求項７に記載の光ヘッド。
【請求項９】
前記光学装置は、前記偏波保持ファイバから射出される光を前記光導波路に向けて偏向する反射面を備えていることを特徴とする請求項７又は８に記載の光ヘッド。
【請求項１０】
請求項７乃至９の何れか一項に記載の光ヘッドと、
前記光ヘッドを制御する制御部と、
記録媒体と、を備えていることを特徴とする光記録装置。
【請求項１１】
請求項７乃至９の何れか一項に記載の光ヘッドは、磁気記録媒体に磁気記録を行う磁気記録部を備えていることを特徴とする光アシスト式磁気記録ヘッド。
【請求項１２】
請求項１１に記載の光アシスト式磁気記録ヘッドと、
前記光アシスト式磁気記録ヘッドを制御する制御部と、
記録媒体と、を備えていることを特徴とする光記録装置。
【発明の詳細な説明】
【技術分野】
【０００１】
本発明は、光学装置、光ヘッド、光アシスト式磁気記録ヘッド及び光記録装置に関する。
【背景技術】
【０００２】
例えば、光ファイバ通信システムにおいて偏波保持ファイバが使用されている。偏波保持ファイバは、伝搬光の偏波面を有効に保持することができるという特性を有しており、光の偏波や位相特性を利用したファイバージャイロ等の各種センサ、コヒーレント光通信用線路等への応用がなされている。
【０００３】
偏波保持ファイバを利用する場合、その偏波面を所望の角度位置に正確に保持する必要がある。例えば複数の偏波保持ファイバを接続する場合、複数の偏波保持ファイバの偏波方向を揃えた光ファイバアレイを用意することにより光損失を抑え、且つ効率よく接続作業を行うことができる。偏波保持ファイバを用いた光ファイバアレイの組み立て方法として以下がある。
【０００４】
複数の偏波保持ファイバをＶ溝に並列に並べ、ＣＣＤカメラ等で偏波保持ファイバの前面の画像を画像表示部に表示させる。画像表示部には、上下に移動できる基準ラインが表示され、この基準ラインを移動させて、偏波保持ファイバのコアの中心を通る位置に設定する。コアを中心に偏波保持ファイバを回転させ、コアの両側に対称に設けてある応力付与部の中心が基準ラインと一致する角度で位置決めする。上述の作業をＶ溝に固定する偏波保持ファイバ全てに対して行うことによって、複数の偏波保持ファイバの偏波面を所定の方向に形成する応力付与部の角度位置を揃えている（特許文献１参照）。
【特許文献１】特開平５−２６４８４５号公報
【発明の開示】
【発明が解決しようとする課題】
【０００５】
しかしながら、特許文献１に記載の偏波保持ファイバの偏波面を揃える方法は、偏波保持ファイバの前面の画像を画像表示部に表示させる専用装置を必要とする。また、複数の偏波保持ファイバ一本づつに対して、専用装置の画像表示部に表示される前面を観察しながら、光軸を中心とする回転方向の調整を行うといった煩雑な作業が必要であるといった課題があった。
【０００６】
ところで、磁気記録方式においては、高記録密度に対応するため、記録時に局所的に加熱して磁気軟化を生じさせ、保磁力が小さくなった状態で記録し、その後に加熱を止めて自然冷却して、記録した磁気ビットの安定性を保証する熱アシスト磁気記録方式が提案されている。この方式では、記録媒体の加熱を瞬間的に行い、加熱する機構と記録媒体とが接触しない、加熱に光を用いる光アシスト式がある。
【０００７】
光アシスト式で超高密度記録を行う場合、２０ｎｍ程度の微小なスポット径を得る必要がある。このため、大きさが入射光波長以下の光学的開口から発生する近接場光を利用する光記録ヘッドが利用されている。
【０００８】
近接場光は、近接場光発生微小構造（プラズモンプローブとも称される）、例えば三角形状をした金薄膜に光を照射することにより発生する。この近接場光を効率よく発生させるためには、金薄膜に照射する光の偏光（偏波）を直線とし、且つ偏光方向（偏光面内で光軸に垂直な方向）を金薄膜の三角形状に対して特定方向に合わせる必要がある。そこで、例えば光源とするＬＤ（レーザ・ダイオード）から放射される光をその偏光状態を維持して金薄膜に効率よく導く手段として、入射光の偏光状態を維持して光記録ヘッドまで伝搬することができる偏波保持ファイバがある。
【０００９】
しかしながら、光記録ヘッドに偏波保持ファイバを固定する際、特許文献１の記載の方法等と同様に、偏波保持ファイバが保持する偏波方向を確認し、偏波方向が所定の方向となるように調整して固定するといった煩雑な作業が必要であるといった課題があった。
【００１０】
本発明は、上記の課題を鑑みてなされたものであって、その目的とするところは、偏波保持ファイバが、その偏波保持ファイバの偏波方向が所定の方向に容易に位置決めされて固定されることにより、偏波保持ファイバをその偏波方向を定めて固定するための工数、ひいては組み立てコストを低減することができる光学装置、この光学装置を備えている光ヘッド、この光ヘッドに磁気記録部を備えている光アシスト式磁気ヘッド、これらのヘッドを備えた光記録装置を提供することである。
【課題を解決するための手段】
【００１１】
上記の課題は、以下の構成により解決される。
【００１２】
１．  光源から射出される光を該光の偏波方向を保持して伝搬する偏波保持ファイバと、
前記偏波保持ファイバが固定される溝と、を備えている光学装置において、
前記偏波保持ファイバ及び前記溝それぞれは、相互に関係して該偏波保持ファイバの光軸を中心とする回転方向の位置決めをする位置決め手段を備えていることを特徴とする光学装置。
【００１３】
２．  前記偏波保持ファイバが備えている位置決め手段は、該偏波保持ファイバの外周に形成された平面であり、
前記溝が備えている位置決め手段は、前記偏波保持ファイバの前記平面に接する該溝を構成する壁の平面であることを特徴とする１に記載の光学装置。
【００１４】
３．  前記偏波保持ファイバの外周に形成された平面と、前記偏波方向と前記偏波保持ファイバの光軸とでなす平面とは所定の角度を有することを特徴とする２に記載の光学装置。
【００１５】
４．  前記偏波保持ファイバが備えている位置決め手段は、該偏波保持ファイバの先端に形成された斜面であり、
前記溝が備えている位置決め手段は、該溝の端に設けられている、前記斜面に接する凸部であることを特徴とする１に記載の光学装置。
【００１６】
５．  前記斜面の傾斜方向と前記偏波保持ファイバの光軸とでなす面と、前記偏波方向と前記偏波保持ファイバの光軸とでなす平面とは所定の角度を有していることを特徴とする４に記載の光学装置。
【００１７】
６．  前記溝は、断面形状がＶ字であることを特徴とする１乃至５の何れか一項に記載の光学装置。
【００１８】
７．  １乃至６の何れか一項に記載の光学装置と、
前記光学装置が備えている前記偏波保持ファイバから射出される光を導波して記録媒体に向かって射出する光導波路を備えたスライダと、を備えていることを特徴とする光ヘッド。
【００１９】
８．  前記光導波路の光射出面に近接場光発生微細構造が備えられていることを特徴とする７に記載の光ヘッド。
【００２０】
９．  前記光学装置は、前記偏波保持ファイバから射出される光を前記光導波路に向けて偏向する反射面を備えていることを特徴とする７又は８に記載の光ヘッド。
【００２１】
１０．  ７乃至９の何れか一項に記載の光ヘッドと、
前記光ヘッドを制御する制御部と、
記録媒体と、を備えていることを特徴とする光記録装置。
【００２２】
１１．  ７乃至９の何れか一項に記載の光ヘッドは、磁気記録媒体に磁気記録を行う磁気記録部を備えていることを特徴とする光アシスト式磁気記録ヘッド。
【００２３】
１２．  １１に記載の光アシスト式磁気記録ヘッドと、
前記光アシスト式磁気記録ヘッドを制御する制御部と、
記録媒体と、を備えていることを特徴とする光記録装置。
【発明の効果】
【００２４】
本発明の光学装置、光ヘッド、光アシスト磁気記録ヘッド及び光記録装置によれば、偏波保持ファイバが、その偏波保持ファイバの偏波方向が所定の方向に容易に位置決めされて固定されることにより、偏波保持ファイバをその偏波方向を定めて固定するための工数、ひいては組み立てコストを低減することができる。
【発明を実施するための最良の形態】
【００２５】
以下、本発明を図示の実施の形態である光ヘッドに磁気記録部を有する光アシスト式磁気記録ヘッドとそれを備えた光記録装置に基づいて説明するが、本発明は該実施の形態に限られない。尚、各実施の形態の相互で同一の部分や相当する部分には同一の符号を付して重複の説明を適宜省略し、偏波と偏光は同じとして扱う。
【００２６】
図１に光アシスト式磁気記録ヘッドを搭載した光記録装置（例えばハードディスク装置）の概略構成例を示す。この光記録装置１００は、以下（１）〜（６）を筐体１の中に備えている。
（１）記録用のディスク（記録媒体）２
（２）支軸５を支点として矢印Ａの方向（トラッキング方向）に回転可能に設けられたサスペンション４
（３）サスペンション４に取り付けられたトラッキング用アクチュエータ６
（４）サスペンション４の先端に取り付けられた光アシスト式磁気記録ヘッド（以下、光記録ヘッドと称する。）３
（５）ディスク２を矢印Ｂの方向に回転させるモータ（図示しない）
（６）トラッキング用アクチュエータ６、モータ及び記録等の制御を行う制御部７
こうした光記録装置１００は、光記録ヘッド３がディスク２の上で浮上しながら相対的に移動しうるように構成されている。
【００２７】
図２は、光記録ヘッド３の一例を断面図で示している。光記録ヘッド３は、ディスク２に対する情報記録に光を利用する光ヘッドであって、光学素子１４とスライダ１５を備えている。光学素子１４は、光源（図示しない）から光を導光する偏波保持ファイバ１１と、偏波保持ファイバ１１から射出する光を後述のプラズモンプローブ２０とで光アシスト部を構成する光導波路１６の入射面に導くために光を偏向する偏向面１４ａを備えている。光学素子１４には、偏波保持ファイバ１１を固定するための断面形状がＶ字状のＶ溝１４ｂが設けられている。Ｌは、光路を模式的に示している。偏波保持ファイバ１１を備えた光学素子１４は、本発明に係わる光学装置に該当する。
【００２８】
光導波路１６に入射した光は、光導波路１６の射出面に設けてあるプラズモンプローブ２０を照射し、このプラズモンプローブ２０により近接場光が発生する。この近接場光が微小な光スポットとしてディスク２に照射されると、ディスク２の照射された部分の温度が一時的に上昇してディスク２の保磁力が低下する。その保磁力の低下した状態の照射された部分に対して、磁気記録部１７により磁気情報が書き込まれる。
【００２９】
スライダ１５は、上端面に形成された光スポットをディスク２に射出する光導波路１６、ディスク２の被記録部分に対して磁気情報の書き込みを行う磁気記録部１７及びディスク２に記録されている磁気情報の読み取りを行う磁気再生部１８を備えている。
【００３０】
尚、図２ではディスク２の記録領域の進入側から退出側（図の矢印方向）にかけて、磁気再生部１８、光導波路１６、磁気記録部１７の順に配置されているが、配置順はこれに限らない。光導波路１６の退出側直後に磁気記録部１７が位置すればよいので、例えば、光導波路１６、磁気記録部１７、磁気再生部１８の順に配置してもよい。
【００３１】
スライダ１５は、浮上しながら磁気記録媒体であるディスク２に対して相対的に移動するが、媒体に付着したごみや、媒体に欠陥がある場合には接触する可能性がある。その場合に発生する摩耗を低減するため、スライダの材質には耐摩耗性の高い硬質の材料を用いることが望ましい。例えば、Ａｌ2Ｏ3を含むセラミック材料、例えばＡｌＴｉＣやジルコニア、ＴｉＮなどを用いれば良い。また、摩耗防止処理として、スライダ１５のディスク２側の面に耐摩耗性を増すために表面処理を行っても良い。例えば、ＤＬＣ（Ｄｉａｍｏｎｄ  Ｌｉｋｅ  Ｃａｒｂｏｎ）被膜を用いると、光の透過率も高く、ダイヤモンドに次ぐＨｖ＝３０００以上の硬度が得られる。
【００３２】
また、スライダ１５のディスク２と対向する面には、浮上特性向上のための空気ベアリング面（ＡＢＳ（Ａｉｒ  Ｂｅａｒｉｎｇ  Ｓｕｒｆａｃｅ）面とも称する。）を有している。スライダ１５の浮上は、ディスク２に近接した状態で安定させる必要があり、スライダ１５に浮上力を抑える圧力を適宜加える必要がある。このため、光学素子１４の上に固定されるサスペンション４は、光記録ヘッド３のトラッキングを行う機能の他、スライダ１５の浮上力を抑える圧力を適宜加える機能を有している。
【００３３】
上述のＶ溝１４ｂに固定される偏波保持ファイバ１１は、入射した光の偏波（偏光）を保持して射出することができる。光記録ヘッド３において、偏波保持ファイバ１１により光源から導光される光は、例えば、半導体レーザから発せられる光がある。半導体レーザから発せられる光を直線偏光とすると、偏波保持ファイバ１１を用いることにより、その偏光は偏波保持ファイバ１１の射出位置まで保持される。偏波保持ファイバ１１から射出された光は、上述の通り、偏向面１４ａによって偏向され、スライダ１５に設けられた光導波路１６に入射し、導波してその射出面に設けてあるプラズモンプローブ２０を照射し、近接場光を生じさせる。
【００３４】
プラズモンプローブ２０にて効率よく近接場光を発生させるためには、プラズモンプローブ２０を照射する光の偏光方向（偏光面内で光軸に垂直な方向）をプラズモンプローブ２０の特性により定まる特定方向に合わせることが必要である。そのためには、プラズモンプローブ２０を照射する光の偏光方向がプラズモンプローブ２０の特性により定まる特定方向に合うように、偏波保持ファイバ１１から射出される光の偏光方向を定める必要がある。すなわち、偏波保持ファイバ１１から射出される光の偏光方向が所定の方向となるように偏波保持ファイバ１１を、その光軸を中心とした回転方向の位置決めをしてＶ溝１４ｂに固定する必要がある。
【００３５】
偏波保持ファイバ１１をその偏光方向を定めてＶ溝１４ｂに固定することに関して、以下例を挙げて図３から図８を用いて説明する。
【００３６】
図３（ａ）は、図２に示すＸ−Ｘ′位置での断面の一部を示している。偏波保持ファイバ１１は、例としてＰＡＮＤＡ型ファイバとし、これを図示している。ＰＡＮＤＡ型ファイバである偏波保持ファイバ１１は、コア１１ａ、クラッド１１ｂ、コア１１ａの両側に設けられている応力付与部１１ｃ、１１ｄで構成されている。応力付与部１１ｃ、１１ｄにより、偏波保持ファイバ１１には、偏波（偏光）を保持する偏光面が形成される。この偏光面は、応力付与部１１ｃ、１１ｄそれぞれの中心を通る偏光面（この偏光面内で光軸に垂直な方向を偏光方向ｓａとする）とこれに垂直で光軸を通る偏光面（この偏光面内で光軸に垂直な方向を偏光方向ｆａとする）とである。この様子を図３（ｂ）に示す。以降の説明では、偏波保持ファイバ１１における偏光方向とは、上記の２つの偏光方向の内、便宜上、応力付与部１１ｃ、１１ｄそれぞれの中心を通る偏光面内で光軸に垂直な方向である偏光方向ｓａとする。
【００３７】
尚、上記のＰＡＮＤＡ型ファイバでは応力付与部１１ｃ、１１ｄの断面形状が円形状であるが、扇形状のＢｏｕ−Ｔｉｅ型ファイバや楕円形状の楕円ジャケットファイバであっても、偏光面は上記と同様に扱うことができる。
【００３８】
偏波保持ファイバ１１は、例えば図３（ｂ）中で示す偏光方向ｓａに合わせて直線偏光を入射させると、この直線偏光を保持することができる。ここで、仮にプラズモンプローブ２０を照射する光の偏光方向を近接場光の発生効率の良い特定方向とするためには、Ｖ溝１４ｂに固定された偏波保持ファイバ１１から射出される光の偏光方向は、図３（ａ）で示す矢印Ｆ方向であるとする。この場合、偏波保持ファイバ１１の偏光方向ｓａは、図３で示す矢印Ｆ方向と平行となるようにＶ溝１４ｂに配置する必要があり、図３（ａ）では、偏波保持ファイバ１１の偏光方向ｓａを矢印Ｆ方向に合わせた状態を示している。
【００３９】
偏波保持ファイバ１１が固定されるＶ溝１４ｂの側壁の平面１４ｂ−１、１４ｂ−２と所望の偏光方向である矢印Ｆ方向とは予め決められた角度で設けられている。
【００４０】
図３（ｂ）に示すように、偏波保持ファイバ１１の円筒形の外周に、偏光方向ｓａと偏波保持ファイバ１１の光軸とでなす平面と所定の角度θ１をなす平面１１ｆを研磨等により設ける。平面１１ｆは本発明に係わる位置決め手段である。図３（ａ）に示すように、偏波保持ファイバ１１の外周に形成された平面１１ｆがＶ溝１４ｂを構成する側壁の平面１４ｂ−１、１４ｂ−２のうち平面１４ｂ−１と接するように固定する。平面１１ｂ−１は本発明に係わる位置決め手段である。このようにすることにより、Ｖ溝１４ｂに偏波保持ファイバ１１の光軸を中心とする回転方向の位置を容易に決めることができる。
【００４１】
よって、偏波保持ファイバ１１をＶ溝１４ｂに固定する際の偏波保持ファイバ１１の偏光方向ｓａを容易に定めてＶ溝１４ｂに固定することができ、この結果、偏波保持ファイバ１１の偏光方向ｓａを所望の矢印Ｆ方向に固定されている光学素子１４とすることができる。平面１４ｂ−１と所望の偏光方向である矢印Ｆ方向との角度を変える場合、その角度に応じて適宜角度θ１を変えればよい。尚、偏向面１４ａの反射により、偏波保持ファイバ１１から射出された光の偏光方向が変化することが予測されるが、この場合、変化量を見込んで角度θ１を決めれば良い。
【００４２】
図４に示すように、偏波保持ファイバ１１の円筒形の外周に偏光方向ｓａと偏波保持ファイバ１１の光軸とでなす平面と所定の角度θ２、θ３それぞれをなす平面１１ｇ、１１ｈを設け、この両面がＶ溝１４ｂを構成する側壁の平面１４ｂ−１、１４ｂ−２の両面に接するようにしてもよい。角度θ２と角度θ３は同じ角度としても良いし異なった角度としてもよく、配置するＶ溝１４ｂの仕様に合わせて適宜決めればよい。
【００４３】
また、偏波保持ファイバ１１を固定する溝は、その断面形状をＶ字形状に限定されることはなく、例えば図５に示すようにコの字状の溝１４ｃとしてもよい。この場合、図５に示すように、偏波保持ファイバ１１の円筒形の外周に偏光方向ｓａと所定の角度（この場合は平行）をなす平面１１ｋを設け、この平面１１ｋがコの字状の溝１４ｃを構成する壁の平面１４ｃ−１に接している。尚、コの字状の溝１４ｃの幅Ｗは、偏波保持ファイバ１１を配置した際の光軸方向に垂直の幅方向の遊びの空間が大きくなりすぎないように偏波保持ファイバ１１の直径に近い方が好ましい。
【００４４】
図６は、光記録ヘッド３の別の例を断面図で示している。図７は、図６に示すＹ−Ｙ′位置での断面の一部を示している。図６においては、光学素子１４に設けられているＶ溝１４ｂの端に位置決め手段である凸部１４ｄが設けてあり、偏波保持ファイバ１１の端部には位置決め手段である斜面１１ｐが形成されている。斜面１１ｐは、光ファイバ専用のクリーバー等により形成できる。
【００４５】
図７（ａ）の場合、斜面１１ｐは、Ｖ溝１４ｂの端に設けられている凸部１４ｄの稜線１４ｄ−１に接している。凸部１４ｄが斜面１１ｐと接する位置は、偏波保持ファイバ１１から射出する光を遮ることがない（ケラレを生じない）ようにコア１１ａから離れていることが好ましい。斜面１１ｐが形成されている偏波保持ファイバ１１を光軸に対して概ね所望の回転方向の位置決め位置と思われる位置でＶ溝１４ｂに沿って配置し、配置した状態で斜面１１ｐを凸部１４ｄに押し当てる。
【００４６】
押し当てることにより偏波保持ファイバ１１は光軸を中心として回転し、凸部１４ｄ、詳しくはその稜線１４ｄ−１の位置に対する、偏波保持ファイバ１１に形成されている斜面１１ｐの傾斜方向Ｑが決まる。すなわち、斜面１１ｐにおける稜線１４ｄ−１が接する位置は、斜面１１ｐの尖った先端より最も離れた後端側となる。これにより、偏波保持ファイバ１１における光軸を中心とする回転方向の位置決めができる。傾斜方向Ｑをより容易に行うためには、凸部１４ｄが斜面１１ｐと接する位置は、コア１１ａからより離れていることが好ましい。
【００４７】
上記のように、凸部が設けられたＶ溝１４ｂに固定された偏波保持ファイバ１１の斜面１１ｐの傾斜方向は一義的に決めることができる。よって、凸部１４ｄが設けてあるＶ溝１４ｂに固定した偏波保持ファイバ１１の偏光方向を所望の方向にするためには、偏波保持ファイバ１１の偏光方向ｓａを考慮して、偏波保持ファイバ１１に設ける斜面１１ｐの傾斜方向Ｑを決めればよい。具体的には、斜面１１ｐの傾斜方向Ｑと偏波保持ファイバ１１の光軸とでなす平面と偏波保持ファイバ１１の偏光方向ｓａとその光軸とでなす平面とが交差する角度を決定し、この所定の角度に基づいて偏波保持ファイバ１１に斜面１１ｐを形成すればよい。
【００４８】
具体例を以下に示す。仮にプラズモンプローブ２０を照射する光の偏光方向を近接場光の発生効率の良い特定方向とするためには、図７（ａ）で示すようにＶ溝１４ｂに固定された偏波保持ファイバ１１から射出される光の偏光方向は矢印Ｇ方向であるとする。この矢印Ｇ方向に平行となる様に凸部１４ｄの稜線１４ｄ−１が設けてあるため、Ｖ溝１４ｂに配置した偏波保持ファイバ１１は、凸部１４ｄに押し当てることにより、斜面１１ｐの先端をスライダ１５側、後端をＶ溝１４ｂ側にして位置決めされる。この場合、斜面１１ｐの傾斜方向と偏波保持ファイバ１１の光軸とでなす面は、稜線１４ｄ−１に対して垂直となる。よって、偏波保持ファイバ１１に形成される斜面１１ｐの傾斜方向Ｑと偏波保持ファイバ１１の光軸とがなす面に対して偏波保持ファイバ１１の偏光方向ｓａが垂直となる関係にすればよい。
【００４９】
斜面１１ｐと接する凸部の形状は、これまで説明した図７（ａ）に示す光学素子１４の凸部１４ｄの様に稜線１４ｄ−１で接する線でも良いし、図７（ｂ）に示す先端が丸みを帯びた点１４ｄ−２でも良いし、図８に示す光学素子１４の凸部１４ｅの様に平面１４ｅ−１で接する面でも良い。稜線１４ｄ−１で接す場合と同様に、斜面１１ｐが形成されている偏波保持ファイバ１１をＶ溝１４ｂに沿って配置し、斜面１１ｐを凸部１４ｄ又は凸部１４ｅのそれぞれ点１４ｄ−２又は平面１４ｅ−１に押し当てる。これにより、偏波保持ファイバ１１の光軸を中心とする回転方向の位置を容易に決めて、偏波保持ファイバ１１をＶ溝１４ｂに固定することができる。尚、図８に示すＺ−Ｚ′位置での断面の様子は、図７と同様である。
【００５０】
これまで説明したように、偏波保持ファイバ１１は、その偏波方向が所定の方向に容易に位置決めされて溝に固定される。このため、偏波保持ファイバ１１をその偏波方向を定めて固定するための工数、ひいては組み立てコストを低減することができる。
【００５１】
また、これまで説明した光記録ヘッドは、ディスク２に対する情報記録に光を利用する光アシスト式磁気記録ヘッドであるが、記録媒体に対する情報記録に光を利用し、磁気再生部１８と磁気記録部１７を有しない、例えば、近接場光記録、相変化記録等の記録を行う光ヘッドとすることもできる。
【図面の簡単な説明】
【００５２】
【図１】光アシスト式磁気記録ヘッドを搭載した光記録装置の概略構成の例を示す図である。
【図２】光記録ヘッドの一例の断面図を示している。
【図３】（ａ）は図２に示すＸ−Ｘ′位置での断面の一部の例を示している。（ｂ）は偏波保持ファイバの偏波面を示す図である。
【図４】図２に示すＸ−Ｘ′位置での断面の一部の例を示している。
【図５】図２に示すＸ−Ｘ′位置での断面の一部の例を示している。
【図６】光記録ヘッドの一例の断面図を示している。
【図７】図６に示すＹ−Ｙ′位置での断面の一部の例を示している。
【図８】光記録ヘッドの一例の断面図を示している。
【符号の説明】
【００５３】
１  筐体
２  ディスク
３  光記録ヘッド
４  サスペンション
１１  偏波保持ファイバ
１１ａ  コア
１１ｂ  クラッド
１１ｃ、１１ｄ  応力付与部
１１ｆ、１１ｇ、１１ｈ、１１ｋ  平面
１４  光学素子
１４ａ  偏向面
１４ｂ  Ｖ溝
１４ｃ  コの字状の溝
１５  スライダ
１６  光導波路
１７  磁気記録部
１８  磁気再生部
２０  プラズモンプローブ
１４ｄ、１４ｅ  凸部
１４ｄ−１  稜線
１４ｄ−２  点
１４ｅ−１  平面
ｓａ、ｆａ  偏光方向
Ｌ  光路
Ｑ  傾斜方向
Ｗ  幅
θ１、θ２、θ３  角度
【図１】
2009217897.tif 000003
【図２】
2009217897.tif 000004
【図３】
2009217897.tif 000005
【図４】
2009217897.tif 000006
【図５】
2009217897.tif 000007
【図６】
2009217897.tif 000008
【図７】
2009217897.tif 000009
【図８】
2009217897.tif 000010